(57)【要約】【課題】  サイマルキャスト放送のチャネルへの切り換えにおいてブラックアウトの発生が抑制された放送受信機を提供する。【解決手段】  放送受信機１００では、切り換え後のチャネルがサイマルキャスト放送であれば、デジタル信号処理部１０３から映像／音声信号が入力されるまでアナログ信号処理部１０７から入力された映像／音声信号を表示・出力部１１１へ出力しておき、デジタル信号処理部１０３から映像／音声信号が入力された場合に、デジタル信号処理部１０３から映像／音声信号を表示・出力部１１１へ出力する。つまり、放送受信機１００では、チャネル切り換え要求からチャネル切り換えまでの期間に、アナログ信号処理部１０７から入力された映像／音声信号を出力する。このため、チャネル切り換えの際に、表示・出力部１１１においてブラックアウトが抑制される。【選択図】  図１
2005072988.tif 000002
【特許請求の範囲】
【請求項１】
デジタル放送信号およびアナログ放送信号を受信する放送信号受信手段と、
上記放送信号中の放送情報を保存する放送情報処理手段と、
上記放送信号を上記デジタル放送信号と上記アナログ放送信号とに分配する放送信号分配手段と、
上記デジタル放送信号を映像／音声信号に変換するデジタル信号処理手段と、
上記アナログ放送信号を映像／音声信号に変換するアナログ信号処理手段と、
上記デジタル信号処理手段または上記アナログ信号処理手段のいずれか一方から出力された映像／音声信号を選択して出力する切り換え手段と、
チャネル切り換え信号を受信し、上記デジタルデータ処理手段と、上記アナログデータ処理手段と、上記切り換え手段とに上記チャネル切り換え信号を通知するチャネル切り換え信号処理手段と、
上記切り換え手段から出力される映像／音声信号を表示および出力する表示出力手段とを備え、
上記切り換え手段は、第１のチャネルから第２のチャネルへと切り換える際に、上記放送情報処理手段に上記第２のチャネルがサイマルキャスト放送である情報が保存されている場合、上記デジタル信号処理手段からの上記第２のチャネルのデジタル放送信号が変換された映像／音声信号が出力されるまでの間、上記アナログ信号処理手段からの上記第２のチャネルのアナログ放送信号が変換された映像／音声信号を出力する、放送受信機。
【請求項２】
請求項１に記載の放送受信機において、
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える基準となる音声信号の出力レベルの値を設定可能であり、且つ、
上記第２のチャネルのアナログ放送信号が変換された音声信号の出力レベルが上記値以下になったときに、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える、放送受信機。
【請求項３】
請求項２に記載の放送受信機において、
上記切り換え手段は、上記チャネル切り換え信号処理手段が上記チャネル切り換え信号を受信した時刻から、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える時刻までの、待機時間を設定可能である、放送受信機。
【請求項４】
請求項１に記載の放送受信機において、
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記第２のチャネルのアナログ放送信号が変換された音声信号の出力レベルを低下させ、上記第２のチャネルのデジタル放送信号が変換された音声信号の出力レベルを、低下させる以前の上記第２のアナログ放送のチャネルの音声信号の出力レベルと同等にする、放送受信機。
【請求項５】
請求項１に記載の放送受信機において、
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記アナログ信号処理手段からの上記第２のチャネルのアナログ放送信号が変換された音声信号の出力を停止する、放送受信機。
【請求項６】
請求項１に記載の放送受信機において、
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記アナログ信号処理手段からの上記第２のチャネルのアナログ放送信号が変換された音声信号の出力レベルをフェードインさせ、上記第２のチャネルのアナログ放送信号が変換された音声信号の出力レベルが、上記デジタル信号処理手段からの上記第２のチャネルのデジタル放送信号が変換された音声信号の出力レベルと一致した時点で切り換える、放送受信機。
【請求項７】
請求項１に記載の放送受信機において、
上記切り換え手段は、上記放送信号中に含まれる切り換え信号に同期して、第１のチャネルから第２のチャネルへと切り換える、放送受信機。
【請求項８】
請求項１に記載の放送受信機において、
上記放送信号情報処理手段に上記放送情報として、上記第２のチャネルのデジタル放送信号が変換された音声信号が５．１チャネル放送であること、または上記第２のチャネルのデジタル放送信号が変換された映像信号が高画質放送であることが保存されている場合、上記切り換え手段は、上記デジタル信号処理手段から上記第２のチャネルのデジタル放送信号が変換された映像／音声信号が出力されると同時に、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える、放送受信機。
【発明の詳細な説明】
【技術分野】
【０００１】
本発明は、デジタル放送およびアナログ放送を受信して表示する放送受信機に関する。
【背景技術】
【０００２】
現在のデジタル放送においては、視聴者がテレビのチャネルを切り換えた際に別のチャネルへ切り換わるまでに数秒の時間を必要としている。通常、このようなチャネル切り換えの間、テレビの画面には何も出力されずにブラックアウトしてしまい、滑らかなチャネル切り換えができていないという不具合がある。
【０００３】
上述のチャネル切り換えでの不具合の解決策として開示されている、下記の特許文献１の内容を、図９を参照しながら以下に簡単に述べる。
【０００４】
図９に示すように、放送局側では、ガイド番組生成部３において各番組の縮小画像を合成して番組ガイドを作成し、パケット多重部４において各番組データに多重化し、送信部５より送信する。
【０００５】
デジタル放送受信機側では、表示指定された番組のストリームは記憶部１２に供給され、ガイド番組のストリームは記憶部１７に記憶される。
【０００６】
表示切り換え時には、復号部１３は記憶部１２からストリームを読み出して、新たな番組のＩピクチャが記憶部１２に格納されるまで切り換え前の番組の復号出力を出力する。復号部１８は、記憶部１７からガイド番組のストリームのうち表示指定された番組のストリームをデコード処理する。選択部１４は、表示番組の切り換え時には、復号部１３から新たな番組の復号出力が出力されるまでの間、復号部１３の出力に基づく切り換え前の番組の画像に復号部１８の出力に新たな番組の縮小画像を子画面表示する。
【０００７】
【特許文献１】特開２００１−３４６１２３号公報。
【発明の開示】
【発明が解決しようとする課題】
【０００８】
しかしながら、上記特許文献１に記載されている方法では、新たなチャネルの映像がデコードされるまでは、映像の出力を完全に切り換えることはできず、チャネル切り換え時にブラックアウトするという従来の不具合が完全に解決されていない。
【０００９】
本発明は、上記事情に鑑みてなされたものであり、サイマルキャスト放送のチャネルへの切り換えにおいてブラックアウトの発生が抑制された放送受信機を提供することを目的とする。
【課題を解決するための手段】
【００１０】
本発明の放送受信機は、デジタル放送信号およびアナログ放送信号を受信する放送信号受信手段と、上記放送信号中の放送情報を保存する放送情報処理手段と、上記放送信号を上記デジタル放送信号と上記アナログ放送信号とに分配する放送信号分配手段と、上記デジタル放送信号を映像／音声信号に変換するデジタル信号処理手段と、上記アナログ放送信号を映像／音声信号に変換するアナログ信号処理手段と、上記デジタル信号処理手段または上記アナログ信号処理手段のいずれか一方から出力された映像／音声信号を選択して出力する切り換え手段と、チャネル切り換え信号を受信し、上記デジタルデータ処理手段と、上記アナログデータ処理手段と、上記切り換え手段とに上記チャネル切り換え信号を通知するチャネル切り換え信号処理手段と、上記切り換え手段から出力される映像／音声信号を表示および出力する表示出力手段とを備え、上記切り換え手段は、第１のチャネルから第２のチャネルへと切り換える際に、上記放送情報処理手段に上記第２のチャネルがサイマルキャスト放送である情報が保存されている場合、上記デジタル信号処理手段からの上記第２のチャネルのデジタル放送信号が変換された映像／音声信号が出力されるまでの間、上記アナログ信号処理手段からの上記第２のチャネルのアナログ放送信号が変換された映像／音声信号を出力する。
【００１１】
従来の放送受信機では、チャネルの切り換え信号の受信からチャネルの切り換えまでの期間は、表示・出力部がブラックアウトする。しかしながら、本発明の放送受信機では、上述のように、切り換え後のチャネルがサイマルキャスト放送であれば、デジタル信号処理手段から映像／音声信号が入力されるまでアナログ信号処理手段から入力された映像／音声信号を出力しておき、デジタル信号処理手段から映像／音声信号が入力された場合に、デジタル信号処理手段から映像／音声信号を出力する。つまり、チャネルの切り換え信号の受信からチャネルの切り換えまでの期間に、アナログ信号処理手段から入力された映像／音声信号を出力する。このため、チャネル切り換えの際に、表示出力手段においてブラックアウトが抑制される。
【００１２】
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える基準となる音声信号の出力レベルの値を設定可能であり、且つ、上記第２のチャネルのアナログ放送信号が変換されたの音声信号の出力レベルが上記値以下になったときに、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える構成としてもよい。
【００１３】
上記切り換え手段は、上記チャネル切り換え信号処理手段が上記チャネル切り換え信号を受信した時刻から、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える時刻までの、待機時間を設定可能である構成としてもよい。
【００１４】
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記第２のチャネルのアナログ放送信号が変換された音声信号の出力レベルを低下させ、上記第２のチャネルのデジタル放送信号が変換された音声信号の出力レベルを、低下させる以前の上記第２のアナログ放送のチャネルの音声信号の出力レベルと同等にする構成としてもよい。
【００１５】
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記アナログ信号処理手段からの上記第２のチャネルのアナログ放送信号が変換された音声信号の出力を停止する構成としてもよい。
【００１６】
上記切り換え手段は、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える際に、上記アナログ信号処理手段からの上記第２のチャネルのアナログ放送信号が変換された音声信号の出力レベルをフェードインさせ、上記第２のチャネルのアナログ放送信号が変換された音声信号の出力レベルが、上記デジタル信号処理手段からの上記第２のチャネルのデジタル放送信号が変換された音声信号の出力レベルと一致した時点で切り換える構成としてもよい。
【００１７】
上記切り換え手段は、上記放送信号中に含まれる切り換え信号に同期して、第１のチャネルから第２のチャネルへと切り換える構成としてもよい。
【００１８】
上記放送信号情報処理手段に上記放送情報として、上記第２のチャネルのデジタル放送信号が変換された音声信号が５．１チャネル放送であること、または上記第２のチャネルのデジタル放送信号が変換された映像信号が高画質放送であることが保存されている場合、上記切り換え手段は、上記デジタル信号処理手段から上記第２のチャネルのデジタル放送信号が変換された映像／音声信号が出力されると同時に、上記アナログ信号処理手段からの上記第２のチャネルのアナログ放送信号が変換された映像／音声信号から、上記デジタル信号処理手段からの上記第２のチャネルのデジタル放送信号が変換された映像／音声信号へと出力を切り換える構成としてもよい。
【発明の効果】
【００１９】
本発明にかかる放送受信機は、サイマルキャスト放送のチャネルへの切り換えにおいてブラックアウトの発生を抑えることができる。
【発明を実施するための最良の形態】
【００２０】
以下、本発明の実施形態を図面を参照しながら説明する。なお、本明細書中では、「接続」との用語は、特に記載のない限り「電気的接続」を意味するものとする。
【００２１】
図１は、本実施形態の放送受信機の構成を示す図である。なお、ここでは、本実施形態の放送受信機において、ＣＨ１からＣＨ２への切り換えで、共にサイマルキャスト放送されている場合を示している。しかしながら、切り換え後のチャネル（つまりＣＨ２）がサイマルキャスト放送であれば本実施形態は実施可能である。
【００２２】
本実施形態の放送受信機１００は、放送信号受信部１０１と、放送信号分配部１０２と、デジタル信号処理部１０３と、アナログ信号処理部１０７と、切り換え部１１０と、表示・出力部１１１と、チャネル切り換え信号処理部１１２と、放送情報処理部１１３とを備えている。
【００２３】
特に、デジタル信号処理部１０３は、チューナー・復調部１０４と、デマクサ部１０５と、ＡＶデコーダ部１０６とを備えており、アナログ信号処理部１０７は、チューナー・復調部１０８と、デコーダ部１０９とを備えている。
【００２４】
放送信号受信部１０１は、放送信号分配部１０２と互いに接続されている。
【００２５】
放送信号分配部１０２は、放送信号受信部１０１、デジタル信号処理部１０３およびアナログ信号処理部１０７と互いに接続されている。
【００２６】
デジタル信号処理部１０３は、放送信号分配部１０２、アナログ信号処理部１０７、切り換え部１１０、チャネル切り換え信号処理部１１２および放送情報処理部１１３と互いに接続されている。
【００２７】
アナログ信号処理部１０７は、放送信号分配部１０２、デジタル信号処理部１０３、切り換え部１１０、チャネル切り換え信号処理部１１２および放送情報処理部１１３と互いに接続されている。
【００２８】
切り換え部１１０は、デジタル信号処理部１０３、アナログ信号処理部１０７、チャネル切り換え信号処理部１１２、放送情報処理部１１３および表示・出力部１１１と互いに接続されている。
【００２９】
表示・出力部１１１は、切り換え部１１０と互いに接続されている。
【００３０】
デジタル信号処理部１０３に設けられているチューナー・復調部１０４は、デマクサ部１０５と互いに接続されており、さらにデマクサ部１０５は、ＡＶデコーダ部１０６と互いに接続されている。また、放送信号分配部１０２、アナログ信号処理部１０７、チャネル切り換え信号処理部１１２および放送情報処理部１１３は、実際にはチューナー・復調部１０４に接続されている。さらにまた、切り換え部１１０は、実際にはＡＶデコーダ部１０６に接続されている。
【００３１】
アナログ信号処理部１０７に設けられているチューナー・復調部１０８は、デコーダ部１０９と互いに接続されている。また、放送信号分配部１０２、デジタル信号処理部１０３、切り換え部１１０、チャネル切り換え信号処理部１１２および放送情報処理部１１３は、実際にはチューナー・復調部１０８に接続されている。さらにまた、切り換え部１１０は、実際にはデコーダ部１０９に接続されている。
【００３２】
次に各部の動作を説明する。
【００３３】
放送信号受信部１０１は、放送局から送信されているサイマルキャスト放送の放送信号を受信する。
【００３４】
放送信号分配部１０２は、受信した放送信号をデジタル信号処理部１０３とアナログ信号処理部１０７とに分配する。
【００３５】
チューナー・復調部１０４は、放送信号分配部１０２より入力された信号を多重化されたデジタル映像／音声信号へ復調する。
【００３６】
デマクサ部１０５は、チューナー・復調部１０４より入力された多重化されたデジタル映像／音声信号を分離する。
【００３７】
ＡＶデコーダ部１０６は、デマクサ部１０５より入力されたデジタル映像／音声信号を表示・出力部に出力できる信号（すなわち映像／音声信号）にデコードする。
【００３８】
チューナー・復調部１０８は、放送信号分配部１０２より入力された信号をアナログ映像／音声信号へ復調する。
【００３９】
デコーダ部１０９は、チューナー・復調部１０８より入力されたアナログ映像／音声信号を表示・出力部に出力できる信号（すなわち映像／音声信号）にデコードする。
【００４０】
切り換え部１１０は、デジタル信号処理部１０３とアナログ信号処理部１０７とから入力された映像／音声出力信号を選択し、表示・出力部１１１へ出力する。
【００４１】
表示・出力部１１１は、切り換え部１１０より入力された映像／音声信号を出力する。
【００４２】
チャネル切り換え信号処理部１１２は、チャネル切り換え信号を受け付けた場合にデジタル信号処理部１０３とアナログ信号処理部１０７と切り換え部１１０とにチャネル切り換え信号を送る。
【００４３】
放送情報処理部１１３は、受信したサイマルキャスト放送の放送情報を保存する。
【００４４】
次に、本実施形態の放送受信機の動作を説明する。
【００４５】
放送信号受信部１０１で受信したサイマルキャスト放送の放送信号は、放送信号分配部１０２で、デジタル信号処理部１０３とアナログ信号処理部１０７へ分配される。
【００４６】
放送信号分配部１０２からデジタル信号処理部１０３へ入力されたサイマルキャスト放送信号は、チューナー・復調部１０４でチャネル切り換え信号処理部１１２と放送情報処理部１１３から入力された情報に従って多重化されたデジタル映像／音声信号に変換され、デマクサ部１０５へ送られる。チューナー・復調部１０４からデマクサ部１０５へ入力された多重化されたデジタル映像／音声信号は、デマクサ部１０５で分離され、分離されたデジタル映像／音声信号から必要なデジタル映像／音声信号がフィルタリングされる。続いて、分離されたデジタル映像／音声信号から該当するチャネルの映像／音声信号がＡＶデコーダ部１０６へ入力される。デマクサ部１０５から入力されたデジタル映像／音声信号は、ＡＶデコーダ部１０６でデコードされ、映像／音声信号として切り換え部１１０へと出力される。
【００４７】
放送信号分配部１０２からアナログ信号処理部１０７へ入力されたサイマルキャスト放送の放送信号は、チューナー・復調部１０８でチャネル切り換え信号処理部１１２と放送情報処理部１１３から入力された情報に従ってアナログ映像／音声信号に変換され、デコーダ部１０９へ送られる。チューナー・復調部１０８からデコーダ部１０９へ入力されたアナログ映像／音声信号は、デコーダ部１０９でデコードされ、映像／音声信号として切り換え部１１０へと出力される。
【００４８】
なお、デジタル信号処理部１０３およびアナログ信号処理部１０７のいずれか一方、または両方から送られた該当するチャネルの映像／音声信号は、切り換え部１１０で切り換えて表示・出力部１１１へ送られ、出力される。
【００４９】
なお、チャネル切り換え信号処理部１１２へ入力されるチャネル切り換え信号は、ユーザーからの入力や番組予約などで、理由を問わずチャネルが切り換わるときに入力される信号であり、少なくとも入力後のチャネル番号、サービス情報が含まれている。
【００５０】
また、放送情報処理部１１３で保存される放送情報は、デマクサ部１０５でフィルタリングの後に取得された放送情報やネットワークから取得された放送情報で、その取得手段は特に問わないがアナログ放送、またはデジタル放送、またはサイマルキャスト放送されているチャネル情報が含まれているものである。
【００５１】
次に、チャネル切り換え（チャネルＣＨ１→チャネルＣＨ２）時の動作を説明する。
【００５２】
チャネル切り換え信号を受信したチャネル切り換え信号処理部１１２は、チャネル切り換えの必要がある場合に、受信したチャネル切り換え信号をデジタル信号処理部１０３とアナログ信号処理部１０７と切り換え部１１０へ送る。
【００５３】
新たにチャネル切り換え信号を受信したデジタル信号処理部１０３は、放送情報処理部１１３から情報を受け取り、新たなチャネル（ＣＨ２）でデジタル放送がされているかを判断する。ここで、デジタル放送がされていれば該当チャネルのデジタル映像／音声信号のデコードを行ない、切り換え部１１０へ出力する。
【００５４】
同様に、新たにチャネル切り換え信号を受信したアナログ信号処理部１０７は、放送情報処理部１１３から情報を受け取り、新たなチャネル（ＣＨ２）でアナログ放送がされているかを判断する。ここで、アナログ放送がされていればチャネル（ＣＨ２）のアナログ映像／音声信号のデコードを行い、切り換え部１１０へ出力する。
【００５５】
新たにチャネル切り換え信号を受信した切り換え部１１０は、放送情報処理部１１３から情報を受け取り、新たなチャネル（ＣＨ２）がアナログ放送のみであるか、デジタル放送のみであるかサイマルキャスト放送であるかを判断する。ここで、アナログ放送のみであれば、アナログ信号処理部１０７から入力された映像／音声信号を表示・出力部へ出力する。デジタル放送のみであれば、デジタル信号処理部１０３から入力された映像／音声信号を表示・出力部へ出力する。サイマルキャスト放送であればデジタル信号処理部１０３から映像／音声信号が入力されるまでアナログ信号処理部１０７から入力された映像／音声信号を表示・出力部１１１へ出力しておき、デジタル信号処理部１０３から映像／音声信号が入力された場合に、デジタル信号処理部１０３から映像／音声信号を表示・出力部１１１へ出力する。
【００５６】
以下に、アナログ信号処理部１０７から入力された映像／音声信号を出力した後に、デジタル信号処理部１０３から入力された映像／音声信号を出力するように切り換わる際の本実施形態の放送受信機１００の動作を図２を参照しながら説明する。
【００５７】
図２は、サイマルキャスト放送でのチャネル切り換えを示す図である。図中に示す時刻Ｓは、チャネル切り換え信号処理部１１２へチャネル切り換え信号が入力された時刻（すなわち、切り換え要求）を、時刻Ｔは、切り換え部１１０の出力が、アナログ信号処理部１０７から入力された映像／音声信号からデジタル信号処理部１０３から入力された映像／音声信号へ切り換えられた時刻を示す。
【００５８】
従来の放送受信機では、チャネルの切り換え要求（時刻Ｓ）からチャネルの切り換え点（時刻Ｔ）までの期間は、表示・出力部がブラックアウトする。しかしながら、本実施形態の放送受信機１００では、上述のように、切り換え後のチャネル（つまりＣＨ２）がサイマルキャスト放送であれば、デジタル信号処理部１０３から映像／音声信号が入力されるまでアナログ信号処理部１０７から入力された映像／音声信号を表示・出力部１１１へ出力しておき、デジタル信号処理部１０３から映像／音声信号が入力された場合に、デジタル信号処理部１０３から映像／音声信号を表示・出力部１１１へ出力する。つまり、図２に示すように、本実施形態の放送受信機１００では、切り換え要求（時刻Ｓ）から切り換え点（時刻Ｔ）までの期間に、アナログ信号処理部１０７から入力された映像／音声信号を出力する。このため、チャネル切り換えの際に、表示・出力部１１１においてブラックアウトが抑制される。
【００５９】
なお、チャネル（ＣＨ２）がアナログ放送からデジタル放送に切り換わる際（時刻Ｔ）に、ノイズおよびデータ不連続の発生の可能性がある。そこで、ノイズおよびデータ不連続の発生を抑制するためには、以下に説明する切り換え方法を切り換え部１１０によって実施することが好ましい。
【００６０】
（方法１）
ここでは、切り換え部１１０において音声信号の出力レベルを参照して、アナログ放送からデジタル放送への切り換える方法を、図３を参照しながら説明する。
【００６１】
図３は、本方法におけるサイマルキャスト放送でのチャネル切り換えを示す図である。図３中に示す時刻Ｔ１は切り換え点を、時刻Ｔ２は予め定められたタイムアウトポイントを示す。また、図中の曲線Ａは、予め定められた切り換え基準レベルを下回る音声信号の出力レベルを示しており、曲線Ｂは、予め定められたタイムアウトポイントまで切り換え基準レベルを下回ることが無い音声信号の出力レベルを示す。
【００６２】
切り換え部１１０は、音声信号の出力レベルを参照しており、予め定められた切り換え基準レベルを下回る出力になったとき（図３中の時刻Ｔ１）、または切り換え要求（時刻Ｓ）から予め設定されたタイムアウトポイント（図３中の時刻Ｔ２）までに音声出力レベルが切り換え基準レベルを下回らなかったときに、アナログ信号処理部１０７から入力された映像／音声信号からデジタル信号処理部１０３から入力された映像／音声信号へと出力を切り換える。
【００６３】
このことによって、表示・出力部１１１から出力される映像および音声は、音声信号が曲線Ａで表される場合には、図３中のＡ欄に示すように、図３中の時刻Ｔ１においてアナログ放送からデジタル放送への切り換えられる。表示・出力部１１１から出力される映像および音声は、音声信号が曲線Ｂで表される場合には、図３中のＢ欄に示すように、図３中の時刻Ｔ２においてアナログ放送からデジタル放送への切り換えられる。
【００６４】
このように、本方法では、音声信号の出力レベルに応じて、アナログ放送からデジタル放送へと切り換える。特に、音声信号が曲線Ａで表される場合には、図３中の映像／音声出力データＡに示すように、音声信号の出力レベルが低い時刻Ｔ１において状態でアナログ放送からデジタル放送への切り換えられるため、アナログ放送からデジタル放送への切り換えの際に、視聴者に音声の切り換えの継ぎ目が意識されにくくなる。
【００６５】
（方法２）
ここでは、アナログ放送からデジタル放送へ切り換える前後で音声信号に対してミュートのＯＮ／ＯＦＦを行い、ミュートＯＮの期間にアナログ放送からデジタル放送への切り換える方法を、図４を参照しながら説明する。図４は、本方法におけるサイマルキャスト放送でのチャネル切り換えを示す図である。
【００６６】
切り換え部１１０は、デジタル信号処理部１０３から映像／音声信号が入力されたとき（すなわち、図４中のデジタル信号処理部からの映像／音声信号の入力がＯＮに変化する時刻Ｔ３）に、音声出力を停止（ミュートＯＮ）した後、アナログ信号処理部１０７からの映像／音声入力信号からデジタル信号処理部１０３からの映像／音声入力信号へ切り換えて（図４中の時刻Ｔ４）、続いて音声出力を再開（図４中の時刻Ｔ５：ミュートＯＦＦ）する。
【００６７】
このことによって、表示・出力部１１１から出力される映像および音声は、図４に示すように、時刻Ｔ３においてアナログ放送からデジタル放送への切り換えられる。
【００６８】
このように、本方法では、アナログ放送からデジタル放送への切り換わり点の前後で音声出力を停止しておくことで、視聴者に特に音声の切り換えの継ぎ目を意識させず切り換えることができる。
【００６９】
（方法３）
ここでは、アナログ放送から入力された映像／音声信号を使用している期間は音声出力をせず、デジタル放送へ切り換えた時に映像／音声出力を行なう方法を、図５を参照しながら説明する。図５は、本方法におけるサイマルキャスト放送でのチャネル切り換えを示す図である。
【００７０】
本実施形態の切り換え部１１０は、デジタル信号処理部１０３から映像／音声信号が入力されるまでの間、アナログ信号処理部１０７から入力された映像／音声信号を表示・出力部１１１へ出力する。このとき、特に本方法では、図５に示すように、アナログ信号処理部１０７から入力された映像／音声信号のうちの、映像信号のみを出力して音声信号は出力しない。デジタル信号処理部１０３から映像／音声信号が入力された時刻Ｔ６で、デジタル信号処理部１０３から入力された映像／音声信号に切り換え、映像／音声信号の両方を表示・出力部１１１へ出力する。
【００７１】
この方法では、アナログ放送を出力している期間において、音声信号を出力しないことで視聴者に切り換え中であることを意識させることにより、アナログ放送とデジタル放送とを継ぎ目を視聴者に意識せず切り換えることができる。
【００７２】
（方法４）
ここでは、アナログ放送から入力された映像／音声信号を使用している期間に一定の割合で出力レベルを上げていき、デジタル信号処理部１０３から映像／音声信号が入力された時点でデジタル放送へ切り換える方法を、図６を参照しながら説明する。図６は、本方法におけるサイマルキャスト放送でのチャネル切り換えを示す図である。
【００７３】
図６に示すように、切り換え部１１０は、チャネル切り換え信号処理部１１２からチャネル切り換え信号を受け取る（時刻Ｓ）と、チャネル切り換え信号を受けた時刻Ｓでのチャネル（ＣＨ１）のデジタル放送信号から変換された映像／音声信号の出力レベルを記憶しておく。続いて、アナログ信号処理部１０７から入力される、チャネル（ＣＨ２）のアナログ放送信号から変換された映像／音声信号を表示・出力部１１１へ出力する際に、予め決められた時刻（図６中のフェードイン時刻）で、記憶しておいた映像／音声信号の出力レベルになるように一定の割合で出力レベルを上げていく（すなわち、映像／音声信号のフェードインを行なう）。
【００７４】
次に、デジタル信号処理部１０３から、チャネル（ＣＨ２）のデジタル放送信号から変換された映像／音声信号が入力される時刻Ｔ７で、デジタル信号処理部１０３から入力された映像／音声信号に出力を切り換える。このとき、予め決められた時刻（フェードイン時刻）は、デジタル信号処理部１０３から映像／音声信号が入力される時刻より前であっても後であっても、あるいは一致してもかまわない。
【００７５】
この方法では、アナログ放送を出力している期間において、映像／音声信号の出力レベルを一定の割合で上げていくことで視聴者に切り換え中であることを意識させることにより、アナログ放送とデジタル放送とを継ぎ目を意識させず切り換えることができる。
【００７６】
（方法５）
図７は、デジタル放送信号に含まれているチャネル切り換え信号に同期してアナログ放送からデジタル放送へ切り換える場合の方法を示している。図７は、本方法におけるサイマルキャスト放送でのチャネル切り換えを示す図である。
【００７７】
図７に示すように、本実施形態の放送受信機１００では、切り換え部１１０は、切り換え要求（時刻Ｓ）から切り換え点（時刻Ｔ）までの期間に、アナログ信号処理部１０７から入力された映像／音声信号を出力する。このとき、デジタル信号処理部１０３から映像／音声信号が出力された後（図７中の時刻Ｏ）に、デジタル放送信号に含まれている切り換え信号に同期して、デジタル信号処理部１０３から入力された映像／音声信号に出力を切り換える（図７中の時刻Ｔ）。つまり、アナログ信号処理部１０７から入力された映像／音声信号を出力している間に、デジタル信号処理部１０３から映像／音声信号が出力された場合でも、デジタル放送信号に含まれている切り換え信号をトリガーとしてアナログ放送とデジタル放送との切り換えを行なう。
【００７８】
この方法では、シーンの切れ目などのように映像／音声信号の継ぎ目が分かり難いタイミングで、デジタル放送信号に含まれているチャネル切り換え信号に同期してアナログ放送からデジタル放送へ切り換えることができる。従って、視聴者にアナログ放送とデジタル放送の継ぎ目を意識させず切り換えることができる。
【００７９】
（方法６）
ここでは、切り換え後のチャネルのデジタル放送信号が変換された音声信号が５．１チャネル放送であること、または切り換え後のチャネルのデジタル放送信号が変換された映像信号が高画質放送である場合のチャネル切り換えの方法を、図８を参照しながら説明する。図８は、本方法におけるサイマルキャスト放送でのチャネル切り換えを示す図である。
【００８０】
切り換え部１１０は、図８に示すように、チャネル切り換え信号処理部１１２からチャネル切り換え信号を受け取る（時刻Ｓ）と、切り換え後のチャネル情報を放送情報処理部１１３から受信する（時刻Ｒ）。放送情報処理部１１３に保存されている放送情報として、音声信号が５．１ＣＨであること、または映像信号が高画質放送であることが保存されている場合、切り換え部１１０は、図８に示すように、デジタル信号処理部１０３から映像／音声信号が入力されたと同時にデジタル信号処理部１０３から入力された映像／音声信号に出力を切り換える（図８中の時刻Ｔ）。つまり、本方法では、切り換え部１１０は、デジタル信号処理部１０３から映像／音声信号が入力されると同時に、アナログ信号処理部１０７から入力された映像／音声信号からデジタル信号処理部１０３から入力された映像／音声信号へと出力を切り換える。
【００８１】
この方法では、デジタル放送信号がアナログ放送信号より多くの情報を含んでいた場合（例えば、高画質放送であったり、５．１ＣＨ放送であるなど）、できるだけ早い時間で視聴者がそれを楽しむことができるようになる。
【００８２】
なお、上記方法１〜６は、切り換え前のチャネル（ＣＨ１）および切り換え後のチャネル（ＣＨ２）が共にサイマルキャスト放送である場合を説明しているが、これに限定されない。例えば、切り換え前のチャネル（ＣＨ１）がアナログ放送またはデジタル放送であり、切り換え後のチャネル（ＣＨ２）がサイマルキャスト放送である場合でも、切り換え時のノイズ・データ不連続の発生を抑えることが可能である。
【００８３】
（本発明による更なる効果）
従来の放送受信機では、放送局側において送出信号にガイド番組ストリームを多重化する必要がある。このため、放送局側にガイド番組ストリームを生成するための設備、ガイド番組ストリームを送信するためのデータ帯域、および放送受信機側にガイド番組ストリームをデコードするための回路を設ける必要がある。
【００８４】
しかしながら、本発明によれば、上述の設備、データ帯域および回路等を設ける必要がない。従って、放送局の設備投資および放送受信機の製造コストを大幅に低減することが可能である。
【図面の簡単な説明】
【００８５】
【図１】図１は、放送受信機の構成を示す図である。
【図２】図２は、サイマルキャスト放送でのチャネル切り換えを示す図である。
【図３】図３は、サイマルキャスト放送でのチャネル切り換えを示す図である。
【図４】図４は、サイマルキャスト放送でのチャネル切り換えを示す図である。
【図５】図５は、サイマルキャスト放送でのチャネル切り換えを示す図である。
【図６】図６は、サイマルキャスト放送でのチャネル切り換えを示す図である。
【図７】図７は、サイマルキャスト放送でのチャネル切り換えを示す図である。
【図８】図８は、サイマルキャスト放送でのチャネル切り換えを示す図である。
【図９】図９は、従来の放送局およびデジタル放送受信機の構成を表す図である。
【符号の説明】
【００８６】
１００    放送受信機
１０１    放送信号受信部
１０２    放送信号分配部
１０３    デジタル信号処理部
１０４    チューナー・復調部
１０５    デマクサ部
１０６    ＡＶデコーダ部
１０７    アナログ信号処理部
１０８    チューナー・復調部
１０９    デコーダ部
１１０    切り換え部
１１１    表示・出力部
１１２    チャネル切り換え信号処理部
１１３    放送情報処理部
【図１】
2005072988.tif 000003
【図２】
2005072988.tif 000004
【図３】
2005072988.tif 000005
【図４】
2005072988.tif 000006
【図５】
2005072988.tif 000007
【図６】
2005072988.tif 000008
【図７】
2005072988.tif 000009
【図８】
2005072988.tif 000010
【図９】
2005072988.tif 000011